(57)【要約】      （修正有）【課題】携帯型通信端末に設けられた照明部の発光を直接着信報知として機能させる場合において、着信の報知機能として適切な光の強さとし、美観にも優れた携帯型通信端末用ケースを提供する。【解決手段】照明部Ｌ覆う照明被覆位置に設けられた光取込部材１０３と、前記光取込部材と連続若しくは連接してなり、ケース本体１０２の内面に沿って設けられた透明な導光部材１０４と、前記導光部材と連続してなると共に、前記ケース本体の外部に露出してなる光放出部１０５とを有する携帯型通信端末用ケース１０１によって、着信と連動して照明部Ｌから放出された光を光放出部１０５から放出させて着信を使用者に報知する。【選択図】図６
0003183520.tif 000002
【実用新案登録請求の範囲】
【請求項１】
着信と連動して発光することができる照明部を背面部に備えた携帯型通信端末に装着される携帯型通信端末用ケースであって、
携帯型通信端末との固定に用いられる装着部材を備えるケース本体と、
前記ケース本体に取り付けられると共に、前記照明部と対向する光取込位置に光取込面を有し、照明部から放出された光を前記光取込面から取り込む透明素材からなる光取込部材と、
前記光取込部材と連続して設けられ、ケース本体の表面に沿って設けられると共に、前記光取込部材から導波してきた光を端部に設けられた光放出部から放出可能な透明素材からなる導光部材とを有し、
前記光放出部は、前記ケース本体の外部に露出してなること
を特徴とする携帯型通信端末用ケース。
【請求項２】
着信と連動して発光することができる照明部を背面部に備えた携帯型通信端末に装着される携帯型通信端末用ケースであって、
携帯型通信端末との固定に用いられる装着部材を備えるケース本体と、
前記ケース本体に取り付けられると共に、前記照明部と対向する光取込位置に光取込面を有し、照明部から放出された光を前記光取込面から取り込む透明素材からなる光取込部材と、
前記光取込部材と連接して設けられ、ケース本体と一体に形成されてなると共に、前記光取込部材から導波してきた光を端部に設けられた光放出部から放出可能な透明素材からなる導光部材とを有し、
前記光放出部は、前記ケース本体の外部に露出してなること
を特徴とする携帯型通信端末用ケース。
【請求項３】
前記ケース本体が導光部材であって、
前記ケース本体の外表面が光放出部であること
を特徴とする請求項２に記載の携帯型通信端末用ケース。
【請求項４】
前記光取込部材が、ケース本体から取り外し可能であることによって、照明部を開放可能に形成されていること
を特徴とする請求項１〜３のいずれかに記載の携帯型通信端末用ケース。
【請求項５】
前記光取込部材が、前記光取込面が前記光取込位置となる照明被覆位置から照明部を開放する照明開放位置までケース本体の背面と平行に摺動可能に形成されていること
を特徴とする請求項１〜３のいずれかに記載の携帯型通信端末用ケース。
【請求項６】
前記光取込部材の一端がケース本体と枢着された枢着部に形成されてなり、
光取込部材が、前記光取込面が前記光取込位置となる照明被覆位置から照明部を開放する照明開放位置まで前記枢着部を軸中心として回動可能に形成されていること
を特徴とする請求項１〜３のいずれかに記載の携帯型通信端末用ケース。
【考案の詳細な説明】
【技術分野】
【０００１】
本考案は、他者から送信された音声、文字情報、及び画像情報を含む受信信号を感知することができる携帯型通信端末に装着して使用されるケースに関する。
【背景技術】
【０００２】
近年、携帯電話機を含む携帯型通信端末には、背面部に周囲を照らす手段として照明部を備えたものが多く開発されており、受信信号の感知（以下、着信という。）に連動させて前記照明部を発光させる機能を有するものも存在する。
【先行技術文献】
【特許文献】
【０００３】
【特許文献１】特開２００７−２８８７３０号公報
【考案の概要】
【考案が解決しようとする課題】
【０００４】
しかし、前記照明部の発光を直接着信報知として機能させた場合には、照明用としての強い発光が直接外部に放出されるため、着信の報知機能としては光が強すぎると共に、美観にも欠けるという問題があった。
【課題を解決するための手段】
【０００５】
そこで、上記課題を解決するための手段として本考案に係る携帯型通信端末用ケースは、着信と連動して発光することができる照明部を背面部に備えた携帯型通信端末に装着される携帯型通信端末用ケースであって、携帯型通信端末との固定に用いられる装着部材を備えるケース本体と、前記ケース本体に取り付けられると共に、前記照明部と対向する光取込位置に光取込面を有し、照明部から放出された光を前記光取込面から取り込む透明素材からなる光取込部材と、前記光取込部材と連続して設けられ、ケース本体の表面に沿って設けられると共に、前記光取込部材から導波してきた光を端部に設けられた光放出部から放出可能な透明素材からなる導光部材とを有し、前記光放出部は、前記ケース本体の外部に露出してなることを特徴とする。
【０００６】
また、本考案に係る携帯型通信端末用ケースは、着信と連動して発光することができる照明部を背面部に備えた携帯型通信端末に装着される携帯型通信端末用ケースであって、携帯型通信端末との固定に用いられる装着部材を備えるケース本体と、前記ケース本体に取り付けられると共に、前記照明部と対向する光取込位置に光取込面を有し、照明部から放出された光を前記光取込面から取り込む透明素材からなる光取込部材と、前記光取込部材と連接して設けられ、ケース本体と一体に形成されてなると共に、前記光取込部材から導波してきた光を端部に設けられた光放出部から放出可能な透明素材からなる導光部材とを有し、前記光放出部は、前記ケース本体の外部に露出してなることを特徴とするものであっても好ましい。
【０００７】
光取込部材は、照明部からケース本体の外方に向かって放出された光を光取込面から光取込部材の内部に取り込んだ後、反射、若しくは透過、又は反射及び透過の両者によって光を光取込部材の内部を導波させながら、光が取り込まれた光取込面とは異なる方向に向かって光取込部材の内部を誘導することができる。光取込部材の内部を導波する光の一部は導光部材に向かって誘導される。なお、光取込部材が照明部から放出された光を反射させる機能は、反射、乱反射若しくは散乱のいずれであっても良い。
【０００８】
光取込部材を構成する透明素材、及び導光部材を構成する透明素材は照明部から放出される光を透過する透明素材で形成されていることが好ましい。それぞれの透明素材には、例えばポリカーボネイト、若しくはＡＢＳ樹脂等の透明樹脂を用いることができる。また、光取込部材、及び導光部材にはガラスを用いてもよい。
【０００９】
光取込部材において、照明部から放出された光を反射させるために、光取込部材の背面に光反射層が形成されていてもよく、また、光取込部材の背面形状が凹凸構造に形成されていてもよい。また、前記光反射層と凹凸構造とは組み合わされていても好ましい。なお、光取込部材に光反射層及び凹凸構造が形成されていなくても、光取込部材と外部の空気との屈折率差を利用して、照明部から放出される光の一部を光取込部材の表面で反射させながら導光部材に誘導させることとしてもよい。
【００１０】
光取込部材から導光部材に導入された光は、導光部材中を反射しながら導波していき、光放出部に到達する。光放出部に到達した光は外部に放出され、使用者に携帯型通信端末が着信していることを報知する。
【００１１】
導光部材は、薄板状若しくは細線状に形成され、ケース本体の内面に沿って取り付けられていることが好ましい。この際、導光部材は一つでもよく複数でもよい。従って、例えば光取込部材から導光部材が放射状に設けられていてもよい。なお、ケース本体の内面には導光部材を嵌め込んで取り付けるための取付溝が形成されていることが好ましい、当該取付溝が導光部材を嵌め込み可能な形状となるように形成することによって、導光部材をケース本体の内面から突出させずに取り付けることができる。これにより、携帯型通信端末用ケースを携帯型通信端末に装着した際に、導光部材が携帯型通信端末の背面部に対して局所的に当接し、携帯型通信端末と携帯型通信端末用ケースとが不安定な状態で装着されることを防止することができる。
【００１２】
光放出部は、導光部材の端部に形成されると共に、ケース本体の外部に露出するように形成される。これにより、導光部材中を導波してきた光を光放出部の端面からケース本体の外部へ放出させる機能を有する。従って、使用者は光放出部から放出された光を視認することによって携帯型通信端末が着信していることを知ることができる。
【００１３】
また、光放出部は、ケース本体を貫通する等して前記端部が外部に露出して形成されるが、光放出部の端面とケース本体の背面とがほぼ同一面上となるように形成されていても好ましい。光放出部の端面とケース本体の背面とがほぼ同一面上となるように形成されることにより、着信時にケース本体の表面の一部分が発光して、光る模様を構成しているかのように見せることが可能である。
【００１４】
さらにまた、光放出部がケースから外部に突出して形成されていても好ましい。光放出部がケース本体から突出して形成されることによって、着信報知時に放出される光をケース本体の外部に突出している光放出部の全表面から放出させることも可能であるため、使用者に対して着信していることをより明確に報知することができる。
【００１５】
また、光放出部をケースから外部に突出して形成した場合には、当該光放出部に発光装飾部材が取付可能であることとしても好ましい。前記発光装飾部材も光を透過する前記透明素材によって形成することにより、携帯通信端末の着信時に光放出部から放出された光が発光装飾部の内部を透過し、発光装飾部の外表面から光が放出されることによって、着信していることを明確に報知することができる。さらに、発光装飾部を漫画のキャラクター、アクセサリー、食べ物、動物、植物、建物、若しくは乗物等の物品の形状に形成することによって、装飾としての美観を向上させることができる。
【００１６】
また、前記ケース本体が導光部材であって、前記ケース本体の外表面が光放出部であっても好ましい。このような構成とすることによって、光取込部材から反射された光がケース本体全体を導波し、ケース本体の外表面全体から光が放出されるため、着信時にはあたかもケース本体全体が発光しているかのように見せることができ、使用者に対して着信していることを明確に報知することができる。
【００１７】
また、前記光取込部材が、ケース本体から取り外し可能であることによって、照明部をケース本体の外部に開放可能に形成されていても好ましい。
【００１８】
光取込部材がケース本体から取り外されて照明部を開放可能であることで、照明部から放出される光を従来の照明用の光として用いることができる。
【００１９】
また、光取込部材が、前記光取込面が前記光取込位置となる照明被覆位置から照明部を開放する照明開放位置までケース本体の背面と平行に摺動可能に形成されていても好ましい。
【００２０】
光取込部材がこのように形成されることで、光取込部材を照明被覆位置から照明開放位置に移動させることによって照明部をすばやく開放させることが可能であり、照明部から放出される光を従来の照明用の光として用いることができる。
【００２１】
また、前記光取込部材の一端がケース本体と枢着された枢着部に形成されてなり、光取込部材が、前記光取込面が前記光取込位置となる照明被覆位置から照明部を開放する照明開放位置まで前記枢着部を軸中心として回動可能に形成されていても好ましい。
【００２２】
光取込部材がこのように形成されていることで、光取込部材の取付構造と回動構造とを省スペースで実現できると共に、照明部を照明開放位置へ回動させることで照明部から放出される光を従来の照明用の光として用いることができる。
【考案の効果】
【００２３】
本考案によれば、照明部から放出された光が光取込部材及び導光部材を介して光放出部から放出されることによって、光の強度を適度に減光させることができる。
【００２４】
また、ケース本体の外部に露出してなる光放出部材の形状によって着信時の発光形状に装飾性を具備させることができ、本考案に係る携帯型通信端末用ケースの着信報知装置としての美観を高めることができる。
【図面の簡単な説明】
【００２５】
【図１】携帯型通信端末用ケース１０１の正面図である。
【図２】携帯型通信端末用ケース１０１の背面図である。
【図３】携帯型通信端末用ケース１０１の上部分のＡ−Ａ拡大部分断面図である。
【図４】携帯型通信端末用ケース１０１のＢ−Ｂ拡大断面図である。
【図５】ケース本体１０２、光取込部材１０３、及び保持板１０９を分解した状態の携帯型通信端末用ケース１０１を示す分解斜視図である。
【図６】光取込部材１０３を照明被覆位置まで移動させた状態の携帯型通信端末用ケース１０１の背面図である。
【図７】光取込部材１０３を照明被覆位置まで移動させた状態の携帯型通信端末用ケース１０１の上部分のＣ−Ｃ拡大断面図である。
【図８】発光装飾部材２１４の背面図である。
【図９】発光装飾部材２１４の平面図である。
【図１０】ケース本体２０２及びこれに取り付けられた摺動板２１５と保持板２０９の正面図である。
【図１１】ケース本体２０２及びこれに取り付けられた摺動板２１５と保持板２０９の背面図である。
【図１２】カメラ穴２０８の上下方向中心線でケース本体２０２及び発光装飾部材２１４を切断し底面方向をみた断面図であり、ケース本体２０２に発光装飾部材２１４を取り付ける作業の様子を示す図である。
【図１３】光取込部材２０３を開放穴２１０に挿し入れた発光装飾部材２１４を軸回転させて固定した状態を示す携帯型通信端末用ケース２０１の背面図である。
【図１４】光取込部材２０３を開放穴２１０に挿し入れた発光装飾部材２１４を軸回転させて固定した状態を示す携帯型通信端末用ケース２０１の正面図である。
【図１５】携帯型通信端末用ケース２０１の背面図である。
【図１６】携帯型通信端末用ケース３０１の正面図である。
【図１７】携帯型通信端末用ケース３０１のＤ−Ｄ断面図である。
【図１８】導光板３０９の全体斜視図である。
【図１９】外付装飾部材３１３の全体斜視図である。
【図２０】外付装飾部材３１３を取り付けた状態の携帯型通信端末用ケース３０１の背面図である。
【図２１】外付装飾部材３１３を取り付けた状態の携帯型通信端末用ケース３０１のＥ−Ｅ断面図である。
【図２２】携帯型通信端末用ケース４０１の正面図である。
【図２３】携帯型通信端末用ケース４０１の背面図である。
【図２４】携帯型通信端末用ケース４０１のＦ−Ｆ断面図である。
【図２５】導光板４０９の全体斜視図である。
【考案を実施するための形態】
【００２６】
以下、本考案に係る実施の形態を、図を参照しながら詳しく説明する。
【００２７】
＜第一の実施形態＞
図１は、携帯型通信端末用ケース１０１を正面方向から見た正面図であり、図２は携帯型通信端末用ケース１０１を背面方向から見た背面図である。第一の実施形態においては、携帯型通信端末用ケース１０１は、携帯型通信端末Ｐに装着されるケース本体１０２と、ケース本体１０２の上部においてケース本体１０２を貫通して左右方向に長い長円形状に形成されたカメラ穴１０８と、当該カメラ穴１０８内に設置されてケース本体１０２の内面１０６に沿って摺動可能な光取込部材１０３と、光取込部材１０３の抜け落ち防止用にカメラ穴１０８に嵌め込まれた保持板１０９とからなる。なお、保持板１０９の右半部には携帯型通信端末Ｐの背面部に形成されたカメラ部Ｃ及び照明部Ｌがケース本体１０２の外部に対して露出するように開放穴１１０が形成されている。また、図１において、ケース本体１０２に携帯型通信端末Ｐが嵌め込まれた場合に想定される携帯型通信端末Ｐ、携帯型通信端末Ｐの正面部に形成されたディスプレイＤ、カメラ部Ｃ及び照明部Ｌの輪郭が破線で示されており、図２において、ケース本体１０２に携帯型通信端末Ｐが嵌め込まれた場合に想定されるカメラ部Ｃ及び照明部Ｌの輪郭が破線で示されている。
【００２８】
本実施例において、ケース本体１０２及び光取込部材１０３は照明部Ｌから放出された光を透過する透明素材から構成されている。当該透明素材は、例えばポリカーボネイト、若しくはＡＢＳ樹脂等の樹脂材からなることが好ましい。
【００２９】
図５にはケース本体１０２、光取込部材１０３、及び保持板１０９を分解した状態を示す分解斜視図を示す。光取込部材１０３には、上下端面から外方に突出して形成された摺動突板部１１１が形成されてなる。また、光取込部材１０３の正面は、光取込部材１０３を照明被覆位置に移動させたときに照明部Ｌと対向し、光取込面１２０として機能する。一方、カメラ穴１０８の上下内周面には前記摺動突板部１１１よりも左右に長く形成された摺動溝１１２が設けられている。光取込部材１０３は、摺動突板部１１１を摺動溝１１２に嵌め込むことによって図３に示すようにケース本体１０２の背面方向に抜け落とすことなく光取込部材１０３の背面を露出させた状態のまま当該摺動溝１１２に沿って左右に摺動させることができる。保持板１０９は、ケース本体１０２の内面１０６のカメラ穴１０８の外周を一回り大きくした領域に形成された嵌め込み凹部１１３に嵌め込まれて固定される。保持板１０９を嵌め込み凹部１１３に嵌め込み固定することによって、図３に示すように光取込部材１０３がケース本体１０２の正面方向に抜け落ちることを防止することができる。なお、図３において、ケース本体１０２に携帯型通信端末Ｐが嵌め込まれた場合に想定される携帯型通信端末Ｐの輪郭が破線で示されている。
【００３０】
図１及び図２において、光取込部材１０３は、照明開放位置である保持板１０８の左半部に位置している。このとき、開放穴１０９は図２及び図４に示すように開放され、カメラ部Ｃ及び照明部Ｌが外部に露出している。前記照明開放位置にある光取込部材１０３を保持板１０８の右半部まで摺動させて図６に示す照明被覆位置まで移動させると、光取込部材１０３が開放穴１１０を閉塞すると共に光取込面１２０が照明部Ｌに対向する位置に配置される。このとき、光取込部材１０３の上下端面及び右側端面はケース本体１０２に設けられたカメラ穴１０８の内周面と当接し、光取込部材１０３とケース本体１０２とは連接した状態となっている。なお、図４において、ケース本体１０２に携帯型通信端末Ｐが嵌め込まれた場合に想定される携帯型通信端末Ｐ、カメラ部Ｃ及び照明部Ｌの輪郭が破線で示されており、図６において、ケース本体１０２に携帯型通信端末Ｐが嵌め込まれた場合に想定されるカメラ部Ｃ及び照明部Ｌの輪郭が破線で示されている。
【００３１】
本実施の形態においては、前述したとおり、ケース本体１０２及び光取込部材１０３は透明な樹脂からなる。これにより、照明部Ｌから放出された光は光取込面１２０から光取込部材１０３の内部に取り込まれ、光取込部材１０３の背面で反射されて光取込部材１０３の上下端面及び右側端面からケース本体１０２内へ導波し、ケース本体１０２の外表面から放出されることにより、ケース本体１０２を導光部材１０４として、及びケース本体１０２の外表面を光放出部１０５として機能させることができる。そのため、着信時にはケース本体１０２の外表面全体から光が放出されて、図６の二点鎖線で囲まれた部分１００が発光したように見えることによって使用者に着信を報知することができる。
【００３２】
なお、本実施の形態においては光取込部材１０３の背面の断面形状は図７に示すように凹凸構造を左右に繰り返した格子形状部１１４に形成されてなるため、照明部Ｌから放出された光を前記格子形状部１１４の背面で乱反射され、導光部材１０４中へ均一に導波させることができる。また、格子形状部１１４は、指を使って光取込部材１０３を左右に摺導させる際の滑り止め効果も発揮することができる。なお、図４において、ケース本体１０２に携帯型通信端末Ｐが嵌め込まれた場合に想定される携帯型通信端末Ｐ、カメラ部Ｃ及び照明部Ｌの輪郭が破線で示されている。
【００３３】
＜第二の実施形態＞
図８及び図９には、長円板状に形成された光取込部材２０３、光反射部２０３の中心部から背面方向に突出して形成された導光部材２０４、及び導光部材２０４の背面から導光部材２０４の周方向外方に拡径した平板状に形成されてなる光放出部材２０５が一体に形成された発光装飾部材２１４の背面図及び平面図が示されている。一方、図１０には、ケース本体２０２及びこれに取り付けられた摺動板２１５と保持板２０９の正面図が示され、図１１には、ケース本体２０２及びこれに取り付けられた摺動板２１５と保持板２０９の背面図が示されている。なお、図１０において、ケース本体２０２に携帯型通信端末Ｐが嵌め込まれた場合に想定される携帯型通信端末Ｐ、携帯型通信端末Ｐの正面部に形成されたディスプレイＤ、カメラ部Ｃ及び照明部Ｌの輪郭が破線で示されており、図１１において、ケース本体２０２に携帯型通信端末Ｐが嵌め込まれた場合に想定されるカメラ部Ｃ及び照明部Ｌの輪郭が破線で示されている。
【００３４】
本実施例において、光取込部材２０３、導光部材２０４、及び光放出部２０５は照明部Ｌから放出された光を透過する透明素材から構成されている。当該透明素材は、例えばポリカーボネイト、若しくはＡＢＳ樹脂等の樹脂材からなることが好ましい。なお、ケース本体２０２及び摺動板２１５は特に透明である必要はない。
【００３５】
ケース本体２０２の上部には、ケース本体２０２を貫通して左右方向に長い長円形状に形成されたカメラ穴２０８と、当該カメラ穴２０８内に設置されてケース本体２０２の内面２０６に沿って摺動可能な摺動板２１５と、摺動板２１５の抜け落ち防止用にカメラ穴２０８に嵌め込まれた保持板２０９とからなる。なお、保持板２０９の右半部には携帯型通信端末Ｐの背面部に形成されたカメラ部Ｃ及び照明部Ｌがケース本体２０２の外部に対して露出するように開放穴２１０が形成されている。開放穴２１０はカメラ穴２０８よりも小さい左右方向に長い長円形状に形成されてなる。摺動板２１５及び保持板２０９は、それぞれ第一の実施形態における光取込部材１０３及び保持板１０９と同一の構造によってケース本体２０２に取り付けられているものである。
【００３６】
ここで光取込部材２０３の外形は、開放穴２１０よりも僅かに小さい相似形状に形成されており、図１２に示すように、光取込部材２０３の長軸と開放穴２１０の長軸とを平行にしながら光取込部材２０３を開放穴２１０に挿し入れることができる。使用者は、発光装飾部材２１４を、図１３の矢印に示すように開放穴２１０に光取込部材２０３を挿し入れた後に少し軸回転させることで、図１４に示すように光取込部材２０３の縁端部を開放穴２１０の周縁部に係止させて開放穴２１０から抜け落ちないように固定することができる。このとき、光取込部材２０３は照明部Ｌを覆う照明被覆位置に設置され、光取込部材２０３の正面は照明部Ｌと対向して配置され、光取込面２２０として機能する。また、導光部材２０４をカメラ穴２０８及び開放穴２１０の深さ同一の長さとすることによって、光取込部材２０３と光放出部材２０５とによってケース本体２０２を狭持して発光装飾部材２１４を固定することができる。なお、図１４において、ケース本体２０２に携帯型通信端末Ｐが嵌め込まれた場合に想定される携帯型通信端末Ｐ、携帯型通信端末Ｐの正面部に形成されたディスプレイＤ、カメラ部Ｃ及び照明部Ｌの輪郭が破線で示されている。
【００３７】
図１５は発光装飾部材２１４をケース本体２０２に固定し、光取込部材２０３を前記照明被覆位置に設置した状態の携帯型通信端末用ケース２０１の背面図である。当該携帯型通信端末用ケース２０１を装着した携帯通信端末Ｐが着信することによって照明部Ｌが発光すると、照明部Ｌから放出された光が光取込面２２０から光取込部材２０３の内部に取り込まれ、光取込部材２０３から導光部材２０４へ誘導される。そして導光部材２０４中を介して導波した光が光放出部材２０５の端面から放出され、図１５に示す二点鎖線に囲まれた部分２００が発光したように見えることによって使用者に着信を報知することができる。なお、光放出部材２０５を漫画のキャラクター、アクセサリー、食べ物、動物、植物、建物、若しくは乗物等の形状に形成することによって、携帯通信端末Ｐが着信していない状態であっても発光装飾部材２１４を着脱可能なアクセサリーとして用いることができる。
【００３８】
＜第三の実施形態＞
図１６は第三の実施形態における携帯型通信端末用ケース３０１の正面図である。携帯型通信端末用ケース３０１には、ケース本体３０２、及びケース本体３０２の内面に光取込部材３０３、導光部材３０４、及び光放出部３０５が一体に形成されてなる導光板３０９が取り付けられてなる。導光板３０９は、図１７に示すように、導光板３０９の表面とケース本体３０２の内面３０６とが同一面内となるようにケース本体３０２の内側から埋め込まれて取り付けられている。このように導光板３０９が埋め込まれて取り付けられることによって、携帯型通信端末用ケース３０１を携帯通信端末Ｐに装着した際に、導光板３０９の一部が携帯型通信端末Ｐの背面部に対して局所的に当接し、携帯型通信端末Ｐと携帯型通信端末用ケース３０１とが不安定な状態で装着されることを防止することができる。なお、図１６において、ケース本体３０２に携帯型通信端末Ｐが嵌め込まれた場合に想定される携帯型通信端末Ｐ、携帯型通信端末Ｐの正面部に形成されたディスプレイＤ、カメラ部Ｃ及び照明部Ｌの輪郭が破線で示されている。
【００３９】
導光板３０９は図１８に示すような平板状に形成されることによって、ケース本体３０２の内面に設けられた埋め込み用の溝に容易に嵌め込むことが可能である。本実施例において、光取込部材３０３、導光部材３０４、及び光放出部３０５は照明部Ｌから放出された光を透過する透明素材から構成されている。当該透明素材は、例えばポリカーボネイト、若しくはＡＢＳ樹脂等の樹脂材からなることが好ましい。なお、ケース本体３０２は特に透明である必要はない。
【００４０】
ケース本体３０２には、携帯型通信端末Ｐに装着した際にカメラ部Ｃと対向する位置にカメラ穴３０８が形成されている。また、導光板３０９にもカメラ部Ｃと前記対向する位置に導光板カメラ穴３１０が形成されているため、カメラ部Ｃは外部に露出しており、使用者は携帯型通信端末Ｐのカメラ機能を使用することが可能である。
【００４１】
また、導光板３０９において、携帯型通信端末Ｐに携帯型通信端末用ケース３０１を装着した際に照明部Ｌと対向する照明被覆位置には光取込面３２０が配置されるように光取込部材３０３が形成されている。本実施例において、図１６に示すように導光部材３０４は、光取込部材３０３と連続してなり、光取込部材３０３から左方向に延在して形成されている。さらに、導光部材３０４の左端部の上端から上方に光放出部３０５が延出して形成され、光放出部３０５はケース本体３０２の上端よりも上方に突出することにより、外部に露出してなる。また、光放出部３０５の中心部には光放出部３０５の正面から背面にかけて貫通してなる光散乱孔３１１が形成されている。
【００４２】
当該携帯型通信端末用ケース３０１を装着した携帯通信端末Ｐが着信することによって照明部Ｌが発光すると、照明部Ｌから放出された光が光取込面３２０から光取込部材３０３の内部に取り込まれ、光取込部材３０３から導光部材３０４へ誘導される。そして、導光部材３０４中を介して導波した光が光放出部材３０５の端面及び光散乱孔の端面から放出され、図１６に示す二点鎖線に囲まれた部分３００ａが発光したように見えることによって使用者に着信を報知することができる。
【００４３】
また、図１９には光放出部材３０５を挿し込むことができる装着穴３１２を有する外付装飾部材３１３の全体斜視図を示している。外付装飾部材３１３は、照明部Ｌから放出された光を透過する透明素材から構成されている。当該透明素材は、例えばポリカーボネイト、若しくはＡＢＳ樹脂等の樹脂材からなることが好ましい。
【００４４】
図２０には、装着穴３１２に光放出部材３０５を挿し込んで導光板３０９に外付装飾部材３１３が装着された状態の携帯型通信端末用ケース３０１の背面図を示している。また、図２１には図２０のＥ−Ｅ断面図を示している。外付装飾部材３１３が装着されている状態で着信があると、照明部Ｌから放出された光は光放出部材３０５を介して外付装飾部材３１３中を導波し、外付装飾部材３１３の端面から放出される。これにより、図２０に示す二点鎖線に囲まれた部分３００ｂが発光したように見えることによって使用者に着信を報知することができる。なお、図２０において、ケース本体３０２に携帯型通信端末Ｐが嵌め込まれた場合に想定されるカメラ部Ｃ及び照明部Ｌの輪郭が破線で示されている。
【００４５】
なお、外付装飾部材３１３を漫画のキャラクター、アクセサリー、食べ物、動物、植物、建物、若しくは乗物等の形状に形成することによって、携帯通信端末Ｐが着信していない状態であっても外付装飾部材３１３を着脱可能なアクセサリーとして用いることができる。
【００４６】
＜第四の実施形態＞
図２２は第四の実施形態における携帯型通信端末用ケース４０１の正面図である。携帯型通信端末用ケース４０１には、ケース本体４０２、及びケース本体４０２の内面に光取込部材４０３、導光部材４０４、及び光放出部４０５が一体に形成されてなる導光板４０９が取り付けられてなる。導光板４０９は、図２４に示すように、導光板４０９の表面とケース本体４０２の内面４０６とが同一面内となるようにケース本体４０２の内側から埋め込まれて取り付けられている。このように導光板４０９が埋め込まれて取り付けられることによって、携帯型通信端末用ケース４０１を携帯通信端末Ｐに装着した際に、導光板４０９の一部が携帯型通信端末Ｐの背面部に対して局所的に当接し、携帯型通信端末Ｐと携帯型通信端末用ケース４０１とが不安定な状態で装着されることを防止することができる。なお、図２２において、ケース本体４０２に携帯型通信端末Ｐが嵌め込まれた場合に想定される携帯型通信端末Ｐ、携帯型通信端末Ｐの正面部に形成されたディスプレイＤ、カメラ部Ｃ及び照明部Ｌの輪郭が破線で示されており、図２３において、ケース本体４０２に携帯型通信端末Ｐが嵌め込まれた場合に想定されるカメラ部Ｃ及び照明部Ｌの輪郭が破線で示されている。
【００４７】
導光板４０９は図２５に示すように、平板状に形成された光取込部材４０３及び導光部材４０４と、導光部材４０５の背面に突出して形成されてなる光放出部４０５とからなる。一方、ケース本体４０２には光放出部４０５と同一形状の嵌め込み孔４１１が設けられている。導光板４０９は、光取込部材４０３及び導光部材４０４を内面に設けられた埋め込み用の溝に容易に嵌め込むと共に、光放出部４０５を嵌め込み孔４１１に貫入することによって、ケース本体４０２に容易に取り付けることが可能である。
【００４８】
本実施例において、光取込部材４０３、導光部材４０４、及び光放出部４０５は照明部Ｌから放出された光を透過する透明素材から構成されている。当該透明素材は、例えばポリカーボネイト、若しくはＡＢＳ樹脂等の樹脂材からなることが好ましい。なお、ケース本体４０２は特に透明である必要はない。
【００４９】
ケース本体４０２には、携帯型通信端末Ｐに装着した際にカメラ部Ｃと対向する位置にカメラ穴４０８が形成されている。また、導光板４０９にもカメラ部Ｃと前記対向する位置に導光板カメラ穴４１０が形成されているため、カメラ部Ｃは外部に露出しており、使用者は携帯型通信端末Ｐのカメラ機能を使用することが可能である。
【００５０】
また、導光板４０９において、携帯型通信端末Ｐに携帯型通信端末用ケース４０１を装着した際に照明部Ｌと対向する照明被覆位置には光取込面４２０が配置されるように光取込部材４０３が形成されている。本実施例において、図２２に示すように導光部材４０４は、光取込部材４０３と連続してなり、光取込部材４０３から下方向に延在して形成されている。さらに、導光部材４０４の下端部の背面から背面方向に光放出部４０５が延出して形成される。光放出部４０５の一端面は、導光板４０９をケース本体４０２に取り付けた状態において、ケース本体４０２の背面４０７と同一面内となるように形成されると共に、外部に露出してなる。
【００５１】
当該携帯型通信端末用ケース４０１を装着した携帯通信端末Ｐが着信することによって照明部Ｌが発光すると、照明部Ｌから放出された光が光取込面４２０から光取込部４０３の内部に取り込まれ、光取込部材４０３から導光部材４０４へ誘導される。そして、導光部材４０４中を介して導波した光が光放出部材４０５の一端面から放出され、図２３に示す二点鎖線に囲まれた部分４００が発光したように見えることによって使用者に着信を報知することができる。
【００５２】
なお、光取込部材４０３から延在して形成される導光部材４０４は一つに限らず複数あってもよい。例えば導光部材４０４が複数本光取込部材４０３から延在して形成され、それぞれの導光部材４０４に光放出部４０５が形成されることによって、ケース本体４０２に複数の光放出部４０５を露出させた状態で配置することができる。そして、複数の光放出部４０５に模様を形成させることによって、着信時に全ての光放出部４０５から光が放出され、発光による模様を構成することができる。
【００５３】
さらにまた、光放出部４０５を一つの導光部材４０４に対して複数設けられていても、発光による模様を構成するために好ましい。
【符号の説明】
【００５４】
１０１  携帯型通信端末用ケース
１０２  ケース本体
１０３  光取込部材
１０４  導光部材
１０５  光放出部
１２０  光取込面
Ｐ      携帯通信端末
Ｃ      カメラ部
Ｌ      照明部
【図１】
0003183520.tif 000003
【図２】
0003183520.tif 000004
【図３】
0003183520.tif 000005
【図４】
0003183520.tif 000006
【図５】
0003183520.tif 000007
【図６】
0003183520.tif 000008
【図７】
0003183520.tif 000009
【図８】
0003183520.tif 000010
【図９】
0003183520.tif 000011
【図１０】
0003183520.tif 000012
【図１１】
0003183520.tif 000013
【図１２】
0003183520.tif 000014
【図１３】
0003183520.tif 000015
【図１４】
0003183520.tif 000016
【図１５】
0003183520.tif 000017
【図１６】
0003183520.tif 000018
【図１７】
0003183520.tif 000019
【図１８】
0003183520.tif 000020
【図１９】
0003183520.tif 000021
【図２０】
0003183520.tif 000022
【図２１】
0003183520.tif 000023
【図２２】
0003183520.tif 000024
【図２３】
0003183520.tif 000025
【図２４】
0003183520.tif 000026
【図２５】
0003183520.tif 000027